(57)【特許請求の範囲】
【請求項１】
一方の壁と他方の壁とを上隔壁によって区画して形成し上流側に設けられた２列の球通路と、前記他方の壁と下隔壁とによって区画して形成し下流側に設けられた１列の送出路と、前記球通路と前記送出路との間の空間に位置して前記２列の球通路を前記１列の送出路へと変更する球寄せ案内路と、外周に数個の円弧面とパチンコ球が嵌入し得る凹窪を等間隔で設けて前記２列の球通路からそれぞれ１個ずつ合計２個のパチンコ球ごとに規制して前記球寄せ案内路へ誘導する回転体とを設けて形成し、前記回転体は前記上流側の２列の球通路を受ける長さを有すると共に前記全ての円弧面を回転体の一端側から他端側へ先細にするテーパを設けて形成し、該回転体の小径側を前記送出路側へ位置させて設置したことを特徴とするパチンコ機のパチンコ球整流装置。
【請求項２】
前記一方の壁の内面に前記球寄せ案内路に臨むように下端を下流側の送出路に連通させた球寄せ案内片を設けたことを特徴とする請求項１記載のパチンコ機のパチンコ球整流装置。
【請求項３】
前記球寄せ案内片に傾斜面を設けたことを特徴とする請求項１又は請求項２記載のパチンコ機のパチンコ球整流装置。
【請求項４】
前記送出路は、前記他方の壁の前記球寄せ案内路から該送出路に対応する箇所に外側に膨出する膨出壁部を設けると共に下隔壁の球通路面に前記膨出壁部の膨出量に応じた張り出しを設けて膨出壁部の側へずらして形成したことを特徴とする請求項１乃至請求項３記載のパチンコ機のパチンコ球整流装置。
【発明の詳細な説明】
【０００１】
【発明の属する技術分野】
本発明は、球タンクから供給されるパチンコ球を、２列から１列に変更整流してパチンコ球放出装置へ送り出すパチンコ機のパチンコ球整流装置、特に、２列の球通路から１個づつ合計２個のパチンコ球を規制して受け入れ、この２個のパチンコ球を確実に１個づつ順番に送出誘導する回転体の改良に関するものである。
【０００２】
【従来の技術】
最近のパチンコ機のパチンコ球放出装置は、パチンコ球を１個単位で計数するようにし、入賞球ごとに放出されるパチンコ球の定量数を１個単位に設定、変更調整できるようにした構造のものが提供されているが、このようなパチンコ球放出措置へは、球タンクからそれぞれ２列に整流した誘導樋の各列のパチンコ球を１個づつ交互に順番に制御して送り出してやらなければならない。
【０００３】
このような２列の球通路の各列のパチンコ球を１個単位で制御して前記パチンコ球放出装置へ送り出す機構として、外周に数個の円弧面とパチンコ球が嵌入し得る凹窪を等間隔で形成した円盤状になる回転体を前記２列の各列の球通路ごとに１個設置し、各列の回転体は互いの円弧面の１個分に対する半ピッチを回転方向へ変位させて並列に設置し、一方の回転体の円弧面が一方の球通路に臨んでいるとき、他方の回転体の凹窪が他方の球通路に臨んで互いの回転体の円弧面と凹窪が各列の球通路に食い違い状に臨ませることにより、各列のパチンコ球を１個づつ所定のタイミング差を以て交互に取り込んで送出すようにしている。
【０００４】
そして、これら２列の球通路に並列設置した２個の回転体を回転駆動させる手段として、球通路の傾斜により上方からの球圧を受けて回転駆動する方法によるもの（特公平５−５５１５号公報参照）、或は、動力装置により２個の回転体を交互に回転させる方法を用いたもの（特開昭６１−７６１８１号公報参照）等が開示されている。
【０００５】
【発明が解決しようとする課題】
従来の技術で説明したような２列の球通路の各列のパチンコ球を１個単位で放出制御する機構は、２列の球通路にそれぞれ個々に設置する２個の回転体が必要であり、これら２個の回転体は回転体の円弧面と凹窪が各列の球通路に食い違い状に臨ませるための所定のピッチ差を有して設置しなければならず、しかも円盤状の回転体はそれぞれの球通路を通過するパチンコ球の中心となる位置に設置しなければならないために、部品点数が多く、組み立ても精度が要求される困難なものであった。
【０００６】
また、動力装置により回転体を駆動させる方法では部品点数が更に多く、構造も複雑となり、しかも、動力装置の設置スペ−スの確保と、困難な組み立て作業を余儀なくされている。その結果、生産効率が悪く経済性も良くないものであった。それ故に、部品点数を少なくして構造を簡素化することが望まれている。
【０００７】
本発明は、上記の点に鑑みてなされたものであって、その目的とするところは、２列の球通路の各列に共同する一個の回転体を設け、この回転体は円弧面を一端側から他端側へ先細状にするテーパを設けて形成し、凹窪に納まる２個のパチンコ球を小径側のパチンコ球が大径側のパチンコ球より必ず先に回転体から離脱するように規制し、球寄せ案内路に納まる２個のパチンコ球の水平方向へのスムーズな誘導が得られるようにし、球寄せ案内路の２個のパチンコ球を１個づつ順番に制御して送り出すように形成し、少ない部品点数で構造を簡素化し、組み立て作業も容易にし、しかも狭い設置スペ−スに楽々納めて設置することを可能にしたパチンコ球整流装置を提供するものである。
【０００８】
【課題を解決するための手段】
上記目的を達成するために、本発明に係るパチンコ機のパチンコ球整流装置は、上流側に位置する２列の球通路と、これら２列の球通路を１列に変更案内する球寄せ案内路と、外周に数個の円弧面とパチンコ球が嵌入し得る凹窪を等間隔で設けて前記２列の球通路からそれぞれ１個づつ合計２個のパチンコ球ごとに規制して球寄せ案内路へ誘導する回転体と、この回転体と球寄せ案内路により規制誘導された２個のパチンコ球を１個づつ送出する下流側の１列の送出路を設けて形成し、前記回転体は上流側の２列の球流路を受ける長さを有すると共に前記全ての円弧面を回転体の一端側から他端側へテーパを設けて形成し、この回転体の小径側を前記送出路側へ位置させて設置してなる。
【０００９】
前壁の内面に前記球寄せ案内路に臨む湾曲斜面を有する球寄せ案内片を設け、この湾曲斜面の下端を下流側の送出路に連通させて設置し、球寄せ案内路に誘導された２個のパチンコ球を湾曲斜面の勾配により水平方向へ誘導して送出路へ１個づつ順番に導出するように設置するのが好ましい。
【００１０】
前記下流側の送出路は、後壁の前記球寄せ案内路から送出路に対応する箇所に外側に膨出する膨出壁部を設けると共に下流側の隔壁の球通路面に前記膨出壁部の膨出量に応じた張り出しを設けて膨出壁部の側へづらして形成するのが好ましい。
【００１１】
【発明の実施の形態】
本発明の実施の形態を図面を参照して説明すると、図１はパチンコ機の概略裏面図を示し、１は遊技盤、２は遊技盤の後面に設置された機構板、３は機構板の上方に設けられた球タンク、４は上流側を球タンクに接続し、下流側で２列の通路部を有して形成された誘導樋、５はパチンコ球を１個単位で計数して所定個数のパチンコ球を下端に接続する排出路６を介してパチンコ機の表面に設けた球受皿（図示せず）に放出するパチンコ球放出装置をそれぞれ示す。
【００１２】
本発明に係るパチンコ球整流装置７は、図３に示すように、上流側にパチンコ球が並ぶ２列の球通路８ａ，８ｂと、これら２列の球通路８ａ，８ｂを１列に変更して水平方向へ案内する球寄せ案内路９と、この球寄せ案内路９へパチンコ球を２個づつ規制して誘導する回転体１０と、この回転体１０と球寄せ案内路９により規制して誘導された２個のパチンコ球を１個づつ送出する下流側の１列の送出路１１を有して形成し、上流側の２列の球通路８ａ，８ｂを前記誘導樋４に接続し、下流側の１列の送出路１１をパチンコ球放出装置５に接続設置して構成する。
【００１３】
【実施例】
本発明のパチンコ球整流装置７は、図２に分解して示すように、カ−ブ壁１２、前壁１３、後壁１４によりケ−ス体として組立てられる。前記カ−ブ壁１２は上面部１２ａから湾曲部１２ｂを介して垂直に延長する側面部１２ｃを有して形成され、このカ−ブ壁１２は上面部１２ａから湾曲部１２ｂに至る内面中央に隔壁１５ａを突設すると共に側面部１２ｃの下部の内面中央に隔壁１５ｂを突設し、前記隔壁１５ａと１５ｂとの間の空間に球寄せ案内路９が設けられ、前記上面部１２ａから湾曲部１２ｂに至る隔壁１５ａの両側面に、パチンコ球がそれぞれ１条に並ぶ２列の球通路８ａ，８ｂを設け、これら２列の球通路８ａ，８ｂの下流側を前記球寄せ案内路９に連通させ、前記側面部１２ｃの隔壁１５ｂの一方の側面に上部を前記球寄せ案内路９に連通する下流側の１列の送出路１１を形成する。
【００１４】
前記後壁１４は、図５（イ）〜（ホ）に示すように、前記球寄せ案内路９から下流側の隔壁１５ｂの一方側に設けた送出路１１に対応する箇所に外側に膨出する膨出壁部１６を設けると共に下流側の隔壁１５ｂの球通路面には前記膨出壁部１６の膨出量に応じた張り出し１７を設けて隔壁１５ｂの１列の送出路１１を膨出壁部１６の側へづらして１個のパチンコ球が通過する幅に形成する。
【００１５】
前壁１３の内面に前記球寄せ案内路９に臨む球寄せ案内片１８が設けられ、前記球寄せ案内片１８は湾曲斜面１８ａを有して形成し、図５（イ）〜（ホ）に示すように、この湾曲斜面１８ａの下端を隔壁１５ｂの送出路１１に連通させて上流側の隔壁１５ａの他方の球通路８ｂを水平方向へ誘導して送出路１１へ案内するように設置する。
【００１６】
前壁１３と後壁１４の内面に短軸よりなる枢軸１９ａ，１９ｂが互いに対向して突設され、図４（イ）〜（ハ）に示すように、この枢軸１９ａ，１９ｂに回転体１０の両端を枢着して図６（イ）〜（ホ）に示すように、回転体１０の外周を前記球寄せ案内路９に臨ませて回転自在に設置される。
【００１７】
前記回転体１０は、図２に示すように、外周に数個の円弧面２０とパチンコ球が嵌入し得る凹窪２１を等間隔で設けて形成し、この回転体１０は、２列の球通路８ａ，８ｂを受ける長さを有すると共に全ての円弧面２０が回転体１０の一端から他端側へ先細にするテーパを設けて円錐台形状に形成し、図４（イ）〜（ハ）に示すように、この回転体は小径側を送出路１１の側に位置させ、且つ、図６（イ）〜（ホ）に示すように、凹窪２１を球寄せ案内路９に臨ませて設置し、凹窪２１に納まる２個のパチンコ球のうち小径側に位置するパチンコ球が大径側のパチンコ球より先に凹窪２０から離脱し、そして僅かに遅れて大径側のパチンコ球が凹窪２０から離脱するように離脱順序を規制し、送出路１１の側のパチンコ球、即ち、回転体１０の小径側のパチンコ球が先球となり、大径側のパチンコ球が後球となって、凹窪２１から球寄せ案内路９へ落下する２個のパチンコ球の先球と後球の落下順序が確実に得られるようにし、大径側から落下する後続のパチンコ球の球圧を先球へ有効に作用させ、２個のパチンコ球を水平方向へ確実に誘導して、球寄せ案内路９で２個のパチンコ球が球詰まりを生じることなく送出路１１へ１個づつ確実に送出することができるようにする。
【００１８】
また、前記回転体１０の前記円弧面２０の頭部が軸心に対して真円でない形状に形成し、円弧面２０の頭部でパチンコ球を咬み込み難くし、球詰まりの発生を阻止し得る形状に形成するのが好ましい。
尚、２２は前壁１３に突設された支持軸、２３はねじ２４を前記支持軸２２にねじ止めするためのねじ孔。２５ａ，２５ｂはパチンコ球整流装置７を機構板２の裏面にねじ止め設置するために、前壁１３と後壁１４に互いに貫通するように穿設したねじ孔を示す。
【００１９】
図４〜図６は、本発明のパチンコ球整流装置におけるパチンコ球の整流状態を断面で示す作用図で、パチンコ球整流装置７は上流側の２列の球通路８ａ，８ｂを球タンク３に接続する誘導樋４の２列に整流した通路部にそれぞれ接続し、下流側の送出路１１をパチンコ球放出装置５に接続して設置され、前記誘導樋４の２列の通路部からパチンコ球整流装置７の球通路８ａにパチンコ球Ａ1 ，Ａ2 ，Ａ3 …が流入し、球通路８ｂにパチンコ球Ｂ1 ，Ｂ2 ，Ｂ3 …が流入し、これらの球通路８ａと８ｂのパチンコ球Ａ1 とＢ1 が球寄せ案内路９に達すると、各球通路８ａ，８ｂの各パチンコ球Ａ1 とＢ1 が同時に回転体１０の円弧面２０ａに係合して、球重量により回転体１０を回転しながら、図５（イ）、図６（イ）に示すように、回転体１０の凹窪２１ａに一緒に納まる。即ち、この時点で、回転体１０の凹窪２１ａには２個のパチンコ球Ａ1 ，Ｂ1 が納まっている。
【００２０】
そして回転体１０が図５（ロ）、図６（ロ）の位置まで回転したとき、２個のパチンコ球Ａ1 ，Ｂ1 は凹窪２１ａにまだ納まり保持されると共に、パチンコ球Ａ2 ，Ｂ2 が次の円弧面２０ｂに係合する。そして回転体１０が更に回転して、図５（ハ），図６（ハ）に示す凹窪２１ａが球寄せ案内路９に連通位置したとき、円弧面２０ａの小径側のパチンコ球Ａ1 が凹窪２１ａから先に離脱し、回転体１０の回転に伴ってパチンコ球Ａ1 から僅かに遅れてパチンコ球Ｂ1 が離脱し、図４（イ）に示すように、２個のパチンコ球Ａ1 とパチンコ球Ｂ1 とが球寄せ案内路９に横並びに納まる。そして、パチンコ球Ｂ1 が球寄せ案内片１８の湾曲斜面１８ａの勾配によりパチンコ球Ａ1 を送出路１１の側へ押し出して、図４（ロ），図５（ニ），図６（ニ）に示すように、パチンコ球Ａ1 を送出路１１へ誘導送出し、続いてパチンコ球Ｂ1 も湾曲斜面１８ａの勾配により、図５（ホ），図６（ホ）に示すように、送出路１１へ誘導送出される。また、図５（ホ），図６（ホ）の状態では、２個のパチンコ球Ａ2 ，Ｂ2 は凹窪２１ｂに納まり保持され、そして次の２個のパチンコ球Ａ3 ，Ｂ3 が円弧面２０ｃに係合位置する。
【００２１】
以上のように、上流側の２列の球通路８ａ，８ｂの各パチンコ球Ａ1 ，Ａ2 ，Ａ3 …とＢ1 ，Ｂ2 ，Ｂ3 …は各球通路８ａ，８ｂから１個づつ合計２個のパチンコ球を回転体１０の凹窪２１に納めて回転し、凹窪２１が球寄せ案内路９に連通したときに、凹窪に納まる２個のパチンコ球Ａ1 ，Ｂ1 は、回転体１０の小径側のパチンコ球Ａ1 が大径側のパチンコ球Ｂ1 より必ず先に球寄せ案内路９に落下する。このように、回転体１０の円弧面２０に備えるテーパが、回転体１０の回転に伴なって凹窪２１に納まる２個のパチンコ球の落下順序を正確に規制し、球寄せ案内路９において２個のパチンコ球を確実に横並びに配置し、球寄せ案内路９での球詰まりを生じさせることなく、２個のパチンコ球を球寄せ案内片１８の湾曲斜面１８ａの勾配により、後球のパチンコ球Ｂ1 が先球のパチンコ球Ａ1 に球圧を与えて１個づつ順番に送出路１１へ誘導送出する。そして次の凹窪２１に納まり保持された２個のパチンコ球を同じ動作を繰り返しながら送出路１１へ１個づつ誘導送出し、この送出路１１からパチンコ球放出装置５へパチンコ球を１個づつ送り出す。
【００２２】
【発明の効果】
本発明は上記のような構成であるから、１個の回転体により上流側の２列の球通路を受けることにより、上流側の２列の球通路の各列から１個づつ合計２個のパチンコ球が回転体の円弧面に係合して、パチンコ球の重量により回転体を回転し、回転体の回転に伴って回転体の同じ凹窪に２個宛のパチンコ球を受け入れて回転しながら球寄せ案内路に誘導し、球寄せ案内路の湾曲斜面の勾配により２個のパチンコ球を１個づつ順に送出路へ送出するので、本発明の回転体は、回転体に対する負荷を少なくし、回転体の破損率が少なくなり、テ−パでのパチンコ球の送出路への誘導が迅速確実に行うことができ、部品点数を少なくし、２列の球通路に対する各列の球通路ごとにピッチを設定する必要もないので全体の構造が簡素化され、組み立て作業を容易にし、狭い設置スペ−スに楽々納め設置可能である。
【００２３】
また、回転体は円弧面を先細状にするテ−パを設けて形成することにより、凹窪に納まる２個のパチンコ球は、回転体の小径側のパチンコ球を大径側のパチンコ球より必ず先に球寄せ案内路に落下させ、回転体の回転に伴なって凹窪に納まる２個のパチンコ球の落下順序を正確に規制し、球寄せ案内路において２個のパチンコ球を確実に横並びに納め、球寄せ案内路での球詰まりを生じさせることなく、２個のパチンコ球を球寄せ案内片の湾曲斜面の勾配により、後球の球圧を先球に有効に与えて２個のパチンコ球を１個づつ順番に送出路１１へ確実に誘導送出することを可能にする。
【００２４】
回転体の円弧面の頭部を軸心に対して真円でない形状に形成することにより、円弧面でのパチンコ球の咬み込みの発生がなく球詰まりから解消される。
【図面の簡単な説明】
【図１】本発明のパチンコ球整流装置を設置して示すパチンコ機の裏面図である。
【図２】本発明のパチンコ球整流装置の分解斜視図である。
【図３】本発明のパチンコ球整流装置の組立斜視図である。
【図４】本発明のパチンコ球整流装置における上流側の２列の球通路から下流側の送出路へ誘導案内される状態を断面で示す作用図である。
【図５】本発明のパチンコ球整流装置の回転体の設置状態と上流側の２列の球通路から下流側の送出路へ誘導案内される状態を断面で示す作用図である。
【図６】本発明のパチンコ球整流装置の回転体の設置状態と上流側の２列の球通路から下流側の送出路へ誘導案内される状態を断面で示す作用図である。
【符号の説明】
３              球タンク
４              誘導樋
５              パチンコ球放出装置
７              パチンコ球整流装置
８ａ，８ｂ      球通路
９              球寄せ案内路
１０            回転体
１１            送出路
１２            カーブ壁
１３            前壁
１４            後壁
１６            膨出壁部
１７            張り出し
１８            球寄せ案内片
１８ａ          湾曲斜面
２０            円弧面
２１            凹窪
【図１】
0003688372.tif 000002
【図２】
0003688372.tif 000003
【図３】
0003688372.tif 000004
【図４】
0003688372.tif 000005
【図５】
0003688372.tif 000006
【図６】
0003688372.tif 000007